(57)【要約】      （修正有）【課題】移動が可能で所望の場所に簡単に設置及び収納することができる簡易床を提供する。【解決手段】内部に収納スペースを有しかつ前面に開口部を開穿してなる直立可能な収納箱体１６と、該収納箱体１６に基端部が回動自在に取り付けられ、かつ該収納スペース１２に収納される１枚又は複数枚の床部材１８を有する床ユニット２０と、からなり、前記収納箱体１６に前記床部材１８を起立状態に収納可能とした。【選択図】図１
2005344480.tif 000002
【特許請求の範囲】
【請求項１】
内部に収納スペースを有しかつ前面に開口部を開穿してなる直立可能な収納箱体と、該収納箱体に基端部が回動自在に取り付けられ、かつ該収納スペースに収納される１枚又は複数枚の床部材を有する床ユニットと、からなり、前記収納箱体に前記床部材を起立状態に収納可能としたことを特徴とする簡易床。
【請求項２】
前記床ユニットが、複数枚の床部材からなり、各床部材を折畳み可能に連結したことを特徴とする請求項１記載の簡易床。
【請求項３】
衝立蓋部材をさらに備え、前記床ユニットを使用する場合には該衝立蓋部材を該床ユニットの後方又は側方に所定間隔をおいて立設して衝立として用い、前記床ユニットを使用しない場合には前記収納スペースに該床ユニットを収納した後該衝立蓋部材を前記開口部を閉塞する蓋体として用いるようにしたことを特徴とする請求項１又は２記載の簡易床。
【発明の詳細な説明】
【技術分野】
【０００１】
本発明は、移動が可能で所望の場所に簡単に設置及び収納することができる簡易床に関する。
【背景技術】
【０００２】
従来、畳が敷設された和室は、古くから日本の人々に親しまれているが、近年は洋風の生活様式を取り入れる日本人が増えてきており、それに伴って和室よりも洋室を設ける住宅が増えてきている。
【０００３】
一方、洋風の生活様式の中で常日頃暮らしていると、たまには日本の伝統的な生活様式が恋しくなったりするのが日本人の人情である。近年の高齢者人口の増加に伴い、この傾向はますます顕著となっている。
【０００４】
また、畳の和室で常日頃生活している人は、逆に、たまには洋室の雰囲気を味わいたいたいと思うものである。
【０００５】
さらに、種々の展覧会会場や説明会会場といった人が集まるスペースに、和室や洋室のの一郭、或いは簡易茶室といったものを設置しようとしても、その設置及び組立て作業が非常に大変であり、時間と費用がかかってしまっていた。
【０００６】
また、例えば、畳を２枚の分割部１，２に形成し、一方の分割部１の下面から外方へ突出状態に上向きの植毛状接着テープ３，４を設け、他の分割部２の下面へ前記植毛状接着テープ３，４に夫々重合できる位置において下向きの植毛状接着テープ５，６を設けてなる組立式畳床（特許文献１）、平面四角形状を形成する枠体と、同枠体の少なくとも四隅角部を分離若しくは折曲可能とした組付手段と、枠体内に敷設し得るようにした適数枚の畳とからなることを特徴とした組立式畳床（特許文献２）、或いは、互いに開閉可能に連接した左右一対の左右衝立板を所定角度になして立設させる連結部材と、該連結部材により前記左右衝立板が連結された状態で、該左右衝立板の前面に配設可能な置き床とを備えることを特徴とする組立床の間（特許文献３）などが提案されている。
【０００７】
これらは、組立式であるので、不必要なときには分解して収納しておいて、必要なときに組み立てて使用できるものの、その組立作業や収納作業に手間がかかり、組立及び収納作業をするのが大変であった。
【０００８】
また、特許文献１〜３の従来技術は、畳或いは床の間を組立式としたにすぎないため、洋室の雰囲気を味わいたいと思っても、味わうことができないという問題があった。
【０００９】
【特許文献１】実開昭５９−１３４６３２号公報
【特許文献２】実開昭６０−９７８３８号公報
【特許文献３】特開２００１−２０７６３４号公報
【発明の開示】
【発明が解決しようとする課題】
【００１０】
本発明は上記した問題点に鑑みてなされたものであり、移動が可能で所望の場所に簡単に設置及び収納することができる簡易床を提供することを目的とする。
【課題を解決するための手段】
【００１１】
上記課題を解決するために、本発明の簡易床は、内部に収納スペースを有しかつ前面に開口部を開穿してなる直立可能な収納箱体と、該収納箱体に基端部が回動自在に取り付けられ、かつ該収納スペースに収納される１枚又は複数枚の床部材を有する床ユニットと、からなり、前記収納箱体に前記床部材を起立状態に収納可能としたことを特徴とする。
【００１２】
また、本発明の簡易床は、前記床ユニットを複数枚の床部材から構成し、各床部材を折畳み可能に連結する構成とすることも可能である。
【００１３】
さらに、本発明の簡易床は、衝立蓋部材をさらに備え、前記床ユニットを使用する場合には該衝立蓋部材を該床ユニットの後方又は側方に所定間隔をおいて立設して衝立として用い、前記床ユニットを使用しない場合には前記収納スペースに該床ユニットを収納した後該衝立蓋部材を前記開口部を閉塞する蓋体として用いるようにしたことを特徴とする。
【発明の効果】
【００１４】
本発明によれば、移動が可能で所望の場所に簡単に設置及び収納することができる簡易床を提供することができるという著大な効果を奏する。
【発明を実施するための最良の形態】
【００１５】
以下に本発明の実施の形態を添付図面に基づいて説明するが、図示例は例示的に示されたもので、本発明の技術的思想から逸脱しない限り種々の変形が可能なことは言うまでもない。
【００１６】
図１は本発明の簡易床の一つの実施の形態を示す一部断面側面図、図２は図１の本発明の簡易床の一部断面平面図、図３は図１の本発明の簡易床の床ユニットを収納する様子を示す一部断面概略説明図、図４は図３の状態から床部材が折畳まれる様子を示す一部断面概略説明図、図５は図４の状態から床部材がさらに折畳まれる様子を示す一部断面概略説明図、図６は衝立上蓋部材が折畳まれる様子を示す概略平面説明図、図７は床ユニットが収納された状態を示す一部断面側面図である。
【００１７】
図８は本発明の簡易床の別の実施の形態を示す概略斜視図であって、床ユニットを設置した状態を示す。図９は本発明の簡易床の別の実施の形態を示す概略斜視図であって、床ユニットを収納した状態を示す。図１０は本発明の簡易床の別の実施の形態を示す一部断面側面図であって、（ａ）が床ユニットを収納した状態、（ｂ）が床ユニットを設置した状態を示す。
【００１８】
まず、本発明の簡易床の一つの実施の形態を添付図面の図１〜図７に基づき説明する。図１〜図７において、符号１０Ａは、本発明の簡易床の一つの実施の形態を示す。簡易床１０Ａは、内部に収納スペース１２を有しかつ前面に開口部１４を開穿してなる直立可能な収納箱体１６と、該収納箱体１６に基端部が回動自在に取り付けられ、かつ該収納スペース１２に収納される１枚又は複数枚（図示例では２枚）の床部材１８を有する床ユニット２０と、からなり、収納箱体１６に床部材１８を起立状態に収納可能とされている。
【００１９】
床ユニット２０の基端部には、回動軸２２が設けられおり、収納箱体１６に設けられたレール２４の中を摺動自在かつ回動自在に取り付けられている。符号２６は、床ユニット２０を設置した後に床ユニット２０を固定するためのストッパーである。
【００２０】
床ユニット２０は、複数枚の床部材１８からなり、各床部材１８は折畳み可能に連結されている。これら床部材１８を折畳み可能に連結する構成としては種々考えられ、例えば、軸着や蝶着等で連結することが可能であるが、折畳み可能に連結されていればよいもので特別の限定はない。
【００２１】
また、簡易床１０Ａは、衝立蓋部材２８をさらに備えており、衝立蓋部材２８は、床ユニット２０を使用する場合には床ユニット２０の後方又は側方（図示例では後方）に所定間隔をおいて立設して衝立として用いられる（図１及び図２参照）。
【００２２】
衝立蓋部材２８は、図１及び図２によく示される如く、衝立本体３０と衝立脚部材３２とから構成されている。衝立脚部材３２には、衝立脚部材３２が衝立本体３０と面一になるように折畳まれた際に係合突部３４が突出するように垂設されている。
【００２３】
また、衝立蓋部材２８は、床ユニット２０を使用しない場合には収納スペース１２に床ユニット２０を収納した後、後述するように折畳むことにより、開口部１４を閉塞する蓋体として用いられる。
【００２４】
図１に示すように、簡易床１０Ａは、床ユニット２０を設置して衝立蓋部材２８を床ユニット２０の後方又は側方に立設して使用する。図２によく示される如く、図示の例では、４畳の床ユニット２０を用いた例を示したが、床ユニット２０のサイズに特別の限定はなく、例えば、床ユニット２０のサイズを半畳や６畳とすることが可能であることはいうまでもない。
【００２５】
また、床ユニット２０の材質に特別の限定はなく、例えば、床ユニット２０に畳を使用すれば、簡易床１０Ａを簡易和室や簡易茶室として使用できるし、床ユニット２０にフローリング構造を使用すれば、簡易床１０Ａを簡易洋室として使用することもできる。
【００２６】
次に、簡易床１０Ａの床部材１８を折畳んで床ユニット２０を収納する様子を図３〜図６に基づいて説明する。
【００２７】
まず、（イ）ストッパー２６を外し、（ロ）床部材１８の回動軸２２をレール２４の中を摺動させることにより、床ユニット２０を収納スペース１２の方向に押し込む（図３参照）。
【００２８】
このとき、図４に示すように、（ハ）複数の床部材１８を折畳みながら床ユニット２０を押し込む。そして、図５に示すように、図４の状態から、（ニ）床ユニット２０を完全に収納スペース１２に押し込んで収納する。
【００２９】
図５のように床ユニット２０が完全に収納スペース１２に収納された後は、（ホ）衝立蓋部材２８を図６（ａ）〜（ｃ）のように折畳んで蓋体とする。
【００３０】
衝立蓋部材２８を折畳むには、図６（ａ）のように衝立の状態となっている衝立蓋部材２８の衝立脚部材３２をそれぞれ回転させて（図６（ｂ）参照）、衝立本体３０と面一となるようにする（図６（ｃ）参照）。このようにして衝立蓋部材を折畳むと、係合突部３４が突出した蓋体の状態となる。
【００３１】
そして、（ヘ）折畳んで蓋体とした衝立蓋部材２８で収納箱体１６の開口部１４を閉塞し、（ト）係合突部３４を収納箱体１６に嵌着せしめることにより、床ユニット２０と衝立蓋部材２８とが収納箱体１６へと完全に収納される（図７参照）。
【００３２】
なお、図示の例では、衝立蓋部材２８を折畳んで収納箱体１６の開口部１４を閉塞する蓋体とした例を示したが、これら図示例に限定されるものではなく、開口部１４が閉塞されるように構成されればよいものであるから、図示例以外にも他の公知の構成を採用することができることは勿論である。また、衝立蓋部材２８を設けない構成を採用することができることもいうまでもない。
【００３３】
このようにして簡易床１０Ａを収納した状態とすれば、例えば、展覧会会場や博覧会会場等の所望の場所へと楽に移動させることが可能となる。また、図示の例では、収納する場合を示したが、簡易床１０Ａを設置して使用する場合には、図示例とは逆の順序で、衝立蓋部材２８及び床ユニット２０をそれぞれ設置すればよいものである。
【００３４】
次に、本発明の簡易床の別の実施の形態を添付図面の図８〜図１０に基づき説明する。
【００３５】
図８〜図１０において、符号１０Ｂは、本発明の簡易床の別の形態を示す。簡易床１０Ｂは、内部に収納スペース３６を有しかつ前面に開口部３８を開穿してなる直立可能な収納箱体４０と、該収納箱体４０に基端部が回動自在に取り付けられ、かつ該収納スペース３６に収納される１枚又は複数枚（図示例では１枚）の床部材４２を有する床ユニット４４と、からなり、収納箱体４０に床部材４２を起立状態に収納可能とされている。
【００３６】
床ユニット４４の基端部には、上述した簡易床１０Ａの構成と同様にして、回動軸及びストッパーが設けられおり、収納箱体４０に設けられたレールの中を摺動自在かつ回動自在に取り付けられている（図示省略）。なお、図示の例では、収納箱体４０の後面が壁Ｗに面して設置されている（図８参照）。
【００３７】
床ユニット４４を収納した状態を図９に示す。床ユニット４４の背面には、取手４６が具備されており、取手４６を掴んで床ユニット４４を回動させることにより、床ユニット４４の設置及び収納が自在とされている。
【００３８】
なお、図示の例では、簡易床１０Ｂには、衝立を設けない構成を示したが、必要に応じて、例えば、上述の衝立蓋部材２８を適宜適用する構成とすることが可能であることはいうまでもない。
【００３９】
また、図示の例では、２畳の床ユニット４４を用いた例を示したが、床ユニット４４のサイズに特別の限定はなく、例えば、床ユニット４４のサイズを適宜変更して構成できることは勿論である。
【００４０】
図示の例では、床ユニット４４に畳を使用することにより、簡易床１０Ｂを簡易和室や簡易茶室として使用する場合の例を示したが、床ユニット４４にフローリング構造を使用したりすれば、簡易床１０Ｂを簡易洋室等として使用することもできる。
【００４１】
図１０（ａ）に示す如く、床ユニット４４を収納した状態で、簡易床１０Ｂを所望の場所へ持ち運んだ後、図１０（ｂ）のように、床ユニット４４を設置し使用する。このようにすれば、様々な場所で、簡易和室や簡易茶室として或いは簡易洋室として使用できるので、非常に便利である。
【産業上の利用可能性】
【００４２】
以上述べた如く、本発明の簡易床によれば、簡易床を所望の場所に持ち運ぶことにより、簡単に簡易和室、簡易茶室又は簡易洋室等を設置及び収納することが可能となる。
【図面の簡単な説明】
【００４３】
【図１】本発明の簡易床の一つの実施の形態を示す一部断面側面図である。
【図２】図１の本発明の簡易床の一部断面平面図である。
【図３】図１の本発明の簡易床の床ユニットを収納する様子を示す一部断面概略説明図である。
【図４】図３の状態から床部材が折畳まれる様子を示す一部断面概略説明図である。
【図５】図４の状態から床部材がさらに折畳まれる様子を示す一部断面概略説明図である。
【図６】衝立上蓋部材が折畳まれる様子を示す概略平面説明図である。
【図７】床ユニットが収納された状態を示す一部断面側面図である。
【図８】本発明の簡易床の別の実施の形態を示す概略斜視図であって、床ユニットを設置した状態を示す。
【図９】本発明の簡易床の別の実施の形態を示す概略斜視図であって、床ユニットを収納した状態を示す。
【図１０】本発明の簡易床の別の実施の形態を示す一部断面側面図であって、（ａ）が床ユニットを収納した状態、（ｂ）が床ユニットを設置した状態を示す。
【符号の説明】
【００４４】
１０Ａ，１０Ｂ：本発明の簡易床、１２，３６：収納スペース、１４，３８：開口部、１６，４０：収納箱体、１８，４２：床部材、２０，４４：床ユニット、２２：回動軸、２４：レール、２６：ストッパー、２８：衝立蓋部材、３０：衝立本体、３２：衝立脚部材、３４：係合突部、４６：取手、Ｗ：壁。
【図１】
2005344480.tif 000003
【図２】
2005344480.tif 000004
【図３】
2005344480.tif 000005
【図４】
2005344480.tif 000006
【図５】
2005344480.tif 000007
【図６】
2005344480.tif 000008
【図７】
2005344480.tif 000009
【図８】
2005344480.tif 000010
【図９】
2005344480.tif 000011
【図１０】
2005344480.tif 000012